(57)【要約】【課題】前記透液性トップシートとして、繊度１．７dt以下の不織布を用いる条件の下で、圧搾溝付与時の素材破れを効果的に防止する。【解決手段】不織布からなる透液性トップシート３と、バックシート２との間に吸収体４が介在されるとともに、前記透液性トップシート３の外面側から圧搾溝７，７を付与してある生理用ナプキン１において、前記透液性トップシート３として、繊度１．７dt以下の不織布を用いるとともに、この透液性トップシート３の下層面側であってかつ前記圧搾溝７，７を含む範囲に、繊度が１．７dtよりも大きい圧搾補強用不織布８を１又は複層配設する。【選択図】図１
2008295713.tif 000002
【特許請求の範囲】
【請求項１】
不織布からなる透液性トップシートと、バックシートとの間に吸収体が介在されるとともに、前記透液性トップシートの外面側から圧搾溝を付与してある吸収性物品において、
前記透液性トップシートとして、繊度１．７dt以下の不織布を用いるとともに、この透液性トップシートの下層面側であってかつ前記圧搾溝を含む範囲に、繊度が１．７dtよりも大きい圧搾補強用不織布を１又は複層配設したことを特徴とする吸収性物品。
【請求項２】
前記圧搾補強用不織布は、繊度２．２dt以上のものを用いる請求項１記載の吸収性物品。
【請求項３】
前記圧搾補強用不織布は、各圧搾溝毎に分割して配設してある請求項１、２いずれかに記載の吸収性物品。
【請求項４】
前記圧搾補強用不織布は、各圧搾溝毎に、かつ該圧搾溝の形状に沿って配設してある請求項１，２いずれかに記載の吸収性物品。
【請求項５】
前記透液性トップシートとして用いた繊度１．７dt以下の不織布は、ＰＥＴ（ポリエチレンテレフタレート）／ＰＥ（ポリエチレン）の芯鞘型複合繊維としてある請求項１〜４いずれかに記載の吸収性物品。
【発明の詳細な説明】
【技術分野】
【０００１】
本発明は、経血やおりものなどを吸収するための生理用ナプキン、パンティライナー、失禁パッド等の吸収性物品、詳しくはトップシートとして繊度１．７dt以下の不織布を用いた吸収性物品に関する。
【背景技術】
【０００２】
従来より、生理用ナプキン、パンティライナー、失禁パッドなどの吸収性物品として、ポリエチレンシートまたはポリエチレンラミネートシート不織布などの不透液性バックシートと、不織布または透液性プラスチックシートなどの透液性トップシートとの間に綿状パルプ等からなる吸収体を介在したものが知られている。
【０００３】
この種の吸収性物品にも幾多の改良が重ねられ、体液漏れ等を防止するための手段が種々講じられている。例えば、幅方向への体液の拡散を防止するとともに、吸収体のヨレを防止し、かつ吸収体中央部を隆起させ局部への密着性を向上させるなどの目的で、表面側に熱エンボスによってエンボス溝（圧搾溝）を形成する技術が存在する。
【０００４】
一方、前記透液性トップシートとして不織布を用いる場合は、所定の引張り強度を有するように、繊度２．２dt以上の不織布を用い、肌触り感を向上させるために、ローションの塗布や凹凸を付与するエンボス加工などを行っていたが、これらに係る材料コストや工程が発生していた。他方で、近年は不織布技術の発達によって極細糸による不織布（以下、ファインデニール不織布ともいう。）が開発され、市場に供給されるようになっている。特に、繊度１．７dt以下の不織布は、繊度２．２dt以上の不織布と比べると、シートの繊維密度が高いため表面の凹凸が少なく、肌触り感が良好であり、トップシートとして用いた場合は、非常に肌触り感が良好になることが確認された。
【０００５】
しかしながら、繊度１．７dt以下のファインデニール不織布を用いた場合には、繊維糸が細く熱融着部が少なくなるため、幅方向の引張り強度が低下し、特にナプキンの長手方向に延びるエンボスを付与すると、破れが多く発生する問題点が明らかとなった。
【０００６】
ところで、近年は前記エンボス処理を行う際に、前記透液性トップシートの不織布素材に破れが生じないようにするための技術が幾つか提案されている。
【０００７】
例えば、下記特許文献１では、透液性表面シートと、不透液性裏面シートとの間に吸収体が介在されるとともに、前記透液性表面シート面側に略長手方向に沿う方向に長手方向中心線を跨いで左右一対のエンボス溝が形成された吸収性物品において、前記エンボス溝の底面に、内側縁から外側縁側に向けて延在し、かつ外側縁まで到達しない強圧搾部を溝長手方向に間欠的に形成することで、表面シートの浮きや破れを防止する技術が開示されている。
【０００８】
また、下記特許文献２では、透液性表面シートと、不透液性裏面シートとの間に吸収体が介在され、前記透液性表面シート面側に略長手方向に沿う縦方向エンボス溝が形成されるとともに、略幅方向に沿う幅方向エンボス溝が形成され、これら縦方向エンボス溝及び幅方向エンボス溝の底面に溝長手方向に沿って高圧搾部と低圧搾部とが交互に配置された吸収性物品において、前記エンボス溝を幅方向に横断する１本の線を引いた場合に、この横断線が前記高圧搾部と接触する部分の長さを横断線上において合計した長さをもって「接触線長さ」と定義し、前記幅方向エンボス溝が存在する領域の接触線長さの最大値と、前記縦方向エンボス溝が存在する領域の接触線長さの最大値との差が５mm以下となるようにすることで、素材の破れを防止する技術が開示されている。
【特許文献１】特開２００３−２６５５１８号公報
【特許文献２】特開２００３−２６５５１９号公報
【発明の開示】
【発明が解決しようとする課題】
【０００９】
しかしながら、前記繊度１．７dt以下のファインデニール不織布の場合は、上記特許文献１、２記載のエンボスによる破れ防止技術を適用したとしても、効果的に破れを防止することができなかった。特に、吸収体の中間に使用面側に隆起する中高吸収体を有するナプキンにおいて、中高吸収体の周縁部にエンボスを付与する場合は、中高吸収体と周辺部との目付けの差が１００g/m２以上あり、更に高低差が３mm以上ある場合、トップシートが引っ張られて破れが発生する頻度が高くなっていた。
【００１０】
そこで本発明の主たる課題は、不織布からなる透液性トップシートと、バックシートとの間に吸収体が介在されるとともに、前記透液性トップシートの外面側から圧搾溝を付与してある吸収性物品において、前記透液性トップシートとして、繊度１．７dt以下の不織布を用いる条件の下で、圧搾溝付与時の素材破れを効果的に防止することにある。
【課題を解決するための手段】
【００１１】
前記課題を解決するために請求項１に係る本発明として、不織布からなる透液性トップシートと、バックシートとの間に吸収体が介在されるとともに、前記透液性トップシートの外面側から圧搾溝を付与してある吸収性物品において、
前記透液性トップシートとして、繊度１．７dt以下の不織布を用いるとともに、この透液性トップシートの下層面側であってかつ前記圧搾溝を含む範囲に、繊度が１．７dtよりも大きい圧搾補強用不織布を１又は複層配設したことを特徴とする吸収性物品が提供される。
【００１２】
上記請求項１記載の発明では、透液性トップシートの下層面側であってかつ前記圧搾溝を含む範囲に、繊度が１．７dtよりも大きい圧搾補強用不織布を１又は複層配設し、圧搾溝付与時の素材破れを効果的に防止するようにした。すなわち、引張り強度の小さい繊度１．７dt以下の不織布を補強する目的で、これよりも引張り強度の強い不織布（繊度＞１．７dt）を下層面側に積層するようにしたものである。
【００１３】
なお、この種の吸収性物品では、不織布からなる透液性トップシートの下面側に所謂セカンド不織布と呼ばれる親水性不織布が吸収性向上のために配設されることがあるが、このセカンド不織布は、透液性トップシートで用いた不織布と同等品かこれよりも低目付けのものが使用されるが、本発明では、透液性トップシートよりも繊度の大きい不織布を圧搾補強用不織布として用いるものであるとともに、特に圧搾溝に対応して、その範囲に配設する点で異なるものである。
【００１４】
請求項２に係る本発明として、前記圧搾補強用不織布は、繊度２．２dt以上のものを用いる請求項１記載の吸収性物品が提供される。
【００１５】
上記請求項２記載の発明は、前記圧搾補強用不織布として、特に繊度２．２dt以上の不織布を用いるようにしたものである。この物性値の不織布を用いることにより、圧搾程度によらず、効果的に素材の破れを防止することができる。
【００１６】
請求項３に係る本発明として、前記圧搾補強用不織布は、各圧搾溝毎に分割して配設してある請求項１、２いずれかに記載の吸収性物品が提供される。
【００１７】
請求項４に係る本発明として、前記圧搾補強用不織布は、各圧搾溝毎に、かつ該圧搾溝の形状に沿って配設してある請求項１，２いずれかに記載の吸収性物品が提供される。
【００１８】
上記請求項３、４記載の発明は、本発明に係る圧搾補強不織布は、体液の吸収性を目的としているものではないため、排血部を含むように配設する必要性はなく、前記排血部を跨ぐとともに、圧搾溝に対応して左右に分割して設けるようにしてもよい。この場合は、資材を節約でき低コスト化に資することができる。
【００１９】
請求項５に係る本発明として、前記透液性トップシートとして用いた繊度１．７dt以下の不織布は、ＰＥＴ（ポリエチレンテレフタレート）／ＰＥ（ポリエチレン）の芯鞘型複合繊維としてある請求項１〜４いずれかに記載の吸収性物品が提供される。
【００２０】
上記請求項５記載の発明は、透液性トップシートとして用いた繊度１．７dt以下の不織布は、ＰＥＴ（ポリエチレンテレフタレート）／ＰＥ（ポリエチレン）の芯鞘型複合繊維とすものである。繊度１．７dt以下の不織布は、極細糸のため、クッション性に乏しくヘタリが生じ易いとともに、一旦ヘタリが生じると復元しづらいなどの欠点を有するが、この欠点を補うために、クッション性と圧縮復元率に優れたＰＥＴ／ＰＥの芯鞘型複合繊維を用いるのが望ましい。
【発明の効果】
【００２１】
以上詳説のとおり本発明によれば、不織布からなる透液性トップシートと、バックシートとの間に吸収体が介在されるとともに、前記透液性トップシートの外面側から圧搾溝を付与してある吸収性物品において、前記透液性トップシートとして、繊度１．７dt以下の不織布を用いる条件の下で、圧搾溝付与時の素材破れを効果的に防止することが可能となる。
【発明を実施するための最良の形態】
【００２２】
以下、本発明の実施の形態について図面を参照しながら詳述する。
〔吸収性物品の構造例〕
図１は本発明に係る生理用ナプキン１の一部破断展開図、図２は図１のII−II線矢視図である。
【００２３】
前記生理用ナプキン１は、ポリエチレンシート、ポリプロピレンシートなどからなる不透液性バックシート２と、経血やおりものなどを速やかに透過させる不織布からなる透液性トップシート３と、これら両シート２，３間に介在された綿状パルプまたは合成パルプなどからなる吸収体４と、この吸収体４の形状保持および拡散性向上のために前記吸収体４を囲繞するクレープ紙５と、表面両側部にそれぞれ長手方向に沿って形成されたサイド不織布６，６とから主に構成されている。前記吸収体４の周囲において、その上下端縁部では、前記不透液性バックシート２と透液性トップシート３との外縁部がホットメルトなどの接着剤やヒートシール等の接着手段によって接合され、またその両側縁部では吸収体４よりも側方に延出している前記不透液性バックシート２と前記サイド不織布６とがホットメルトなどの接着剤やヒートシール等の接着手段によって接合されている。
【００２４】
以下、さらに前記生理用ナプキン１の構造について詳述すると、
前記不透液性バックシート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とでバックシートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２５】
次いで、前記透液性トップシート３は、本発明では特にファインデニール不織布と呼ばれる、繊度１．７dt以下の有孔または無孔の不織布が用いられる。不織布を構成する素材繊維としては、たとえばポリエチレンまたはポリプロピレン等のオレフィン系、ポリエステル系、ポリアミド系等の合成繊維の他、ＰＰ（ポリプロピレン）／ＰＥ（ポリエチレン）、ＰＥＴ（ポリエチレンテレフタレート）／ＰＥ（ポリエチレン）、ＰＥＴ（ポリエチレンテレフタレート）／ＰＰ（ポリプロピレン）、ＰＥＴ／共重合ＰＥＴ、ＰＰ／共重合ＰＰなどの芯鞘型繊維やサイド−バイ−サイド型繊維、分割型繊維等の複合繊維、レーヨンやキュプラ等の再生繊維、綿等の天然繊維とすることができる。これらの素材の内、透液性トップシート不織布として最も好適なものは、ファインデニールの欠点を補う点で、クッション性と圧縮復元率に優れたＰＥＴ／ＰＥを使用するのが望ましい。
【００２６】
加工法は、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００２７】
一方、前記透液性トップシート３の上面には、排血対応部位を跨ぐ両側部にそれぞれ、略長手方向に沿う左右一対の圧搾溝７，７が形成されている。
【００２８】
前記圧搾溝７，７の付与時に透液性トップシート３の素材破れを防止するために、本生理用ナプキン１では、前記透液性トップシートの下層面側であってかつ前記圧搾溝７，７を含む範囲に、繊度が１．７dtよりも大きい、好ましくは繊度２．２dt以上の圧搾補強用不織布８を１又は複層配設している。図１に示される例では、前記左右一対の圧搾溝７，７を含む範囲に１枚の圧搾補強用不織布８を配置するようにしたが、２枚又はそれ以上の層で配置するようにしてもよい。例えば、図３に示される例は、２層の圧搾補強用不織布８を配置した例である。同図(A)は、２枚の不織布を重ねて積層した例であり、同図(B)は１枚の不織布をＣ断面折りとして、２層の不織布とした例である。
【００２９】
前記圧搾補強用不織布８は、たとえばポリエチレンまたはポリプロピレン等のオレフィン系、ポリエステル系、ポリアミド系等の合成繊維の他、芯鞘型繊維やサイド−バイ−サイド型繊維、分割型繊維等の複合繊維、レーヨンやキュプラ等の再生繊維、綿等の天然繊維とすることができるが、前記透液性トップシートとして、ＰＥＴ／ＰＥ芯鞘型複合繊維を用いた場合には、エンボスの熱による熱融着固定を図るために、前記ＰＥＴ（ポリエチレンテレフタレート）より低融点の材料、特にポリエチレンまたはポリプロピレン、ＰＥ／ＰＰ又はＰＰ／ＰＥなどの芯鞘型複合繊維を用いるのが望ましい。
【００３０】
前記圧搾補強用不織布８は、体液の吸収性を目的としているものではないため、排血部Ｈを含むように配設する必要性はなく、前記排血部Ｈを跨ぐとともに、圧搾溝に対応して左右に分割して設けるようにしてもよい。図４に示される例は、各圧搾溝７，７毎に分割して圧搾補強用不織布８，８を配設した例であり、図５に示される例は、各圧搾溝７，７毎に、かつ該圧搾溝７，７の形状に沿って配設した例である。
【００３１】
前記不透液性バックシート２と透液性トップシート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。本例のように、吸収体４を囲繞するクレープ紙５を設ける場合には、結果的に透液性トップシート３と吸収体４との間にクレープ紙５が介在することになり、吸収性に優れる前記クレープ紙５によって体液を速やかに拡散させるとともに、これら経血等の逆戻りを防止するようになる。
【００３２】
一方、本生理用ナプキン１の表面がわ両側部にはそれぞれ、長手方向に沿ってかつナプキン１のほぼ全長に亘ってサイド不織布６，６が設けられ、このサイド不織布６，６の一部が側方に延在されるとともに、同じく側方に延在された不透液性バックシート２の一部とによりウイング状フラップＷ、Ｗが形成されている。
【００３３】
前記サイド不織布６としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
〔他の形態例〕
(1)上記形態例においては、所謂セカンド不織布を配置していないが、これを透液性トップシート３と吸収体４との間に配置するようにしてもよい。この場合は、前記圧搾補強用不織布８と吸収体４との間に配設することになる。
(2)上記形態例では、生理用ナプキン１の略長手方向に沿う左右一対の圧搾溝７，７のみを形成した例であるが、圧搾溝は、生理用ナプキン１の略幅方向に沿う圧搾溝を含んでいてもよい。この場合は、この幅方向に沿う圧搾溝をも含むように、前記圧搾補強用不織布８が配設される。
(3)また、吸収体の構造は、上記形態例のように１層でフラットな吸収体４はもちろんのこと、排血部Ｈを含む範囲に使用面側に隆起する中高吸収体を有する構造であってもよい。
【図面の簡単な説明】
【００３４】
【図１】本発明に係る生理用ナプキン１の一部破断展開図である。
【図２】図１のII−II線矢視図である。
【図３】(A)、(B)は共に圧搾補強用不織布８の層構成に係る配置態様例を示す横断面図である。
【図４】圧搾補強用不織布８の平面配置態様例を示すナプキン平面図（その１）である。
【図５】圧搾補強用不織布８の平面配置態様例を示すナプキン平面図（その１）である。
【符号の説明】
【００３５】
１…生理用ナプキン、２…不透液性バックシート、３…透液性トップシート、４…吸収体、５…クレープ紙、６…サイド不織布、７…圧搾溝、８…圧搾補強用不織布
【図１】
2008295713.tif 000003
【図２】
2008295713.tif 000004
【図３】
2008295713.tif 000005
【図４】
2008295713.tif 000006
【図５】
2008295713.tif 000007